(57)【要約】【課題】バッフル状の減衰用リザーバーポートを備えた、電磁的に操作されるスプールバルブと、この製造方法を提供する。【解決手段】  スプールの一方の端部に減衰用のリザーバーを形成して備え、フルイドサンプ内で液侵されるようにポートされた、電磁的に操作されるスプールバルブを用いる。リザーバーのポートはスプールの垂直方向上方に向わされる。オフセットされたポートを備えたキャップをリザーバーのポート上方に取付けて、リザーバーからの流体の流れをバッフルさせて、サンプ内でポートが流体を不足したとき、リザーバーから流体が排出されることを防ぐようにする。【選択図】  図１
2005273912.tif 000002
【特許請求の範囲】
【請求項１】
移動可能なスプールとの組合わせであって、内部に圧力制御弁を有し、スプール減衰用のチャンバを備え、さらに、バルブ本体（１８）、バルブ用スプール（２２）、流体を満たした減衰用のリザーバー（４０）、キャップ（５４）、かつソレノイドオペレーター（１０）を有し、
（ａ）前記バルブ本体（１８）は、制御対象の装置内の、流通用のポートを備えたキャビティ内に取付け可能であって、インレット（３２）、制御圧力用アウトレット（３４）及びエキゾーストポート（３６）をバルブ用ボア（２０）と連通させるように備え、
（ｂ）前記バルブ用スプール（２２）は、バルブ用チャンバ内に配置され、かつこの内部で移動可能に設けられて、前記インレットから前記制御圧力用アウトレットと前記エキゾーストポートまでの流体の流れを制御可能にし、
（ｃ）前記流体を満たした減衰用のリザーバー（４０）は、前記本体内に形成され、制限的な流れを行えるようにブリード用ポート（４２）を備えて、前記スプールの移動の減衰を行えるようにし、
（ｄ）前記キャップ（５４）は、前記ブリード用ポートの上方に配置され、前記ブリード用ポートを通る流体の流れに対してバッフル状の通路（５８）を形成して備えて、供給用のポートの流体が不足するとき、前記リザーバーから排出される流量を最小にさせるようにし、かつ、
（ｅ）前記ソレノイドオペレーター（１０）は、前記本体に取付けられて、前記スプールの移動を操作可能にしたことを特徴とする組合せ。
【請求項２】
前記バッフル状の通路では、前記ブリード用ポートから前記バルブ用ボアに関して軸方向にオフセットされるように、前記キャップにポート（５８）を備えたことを特徴とする請求項１に記載の組合せ。
【請求項３】
前記バッフル状の通路では、前記ブリード用ポートと円周方向に整び、かつ軸方向にオフセットされるように、前記キャップにポート（５８）を備えたことを特徴とする請求項１に記載の組合せ。
【請求項４】
前記本体には、前記ブリード用ポートを前記リザーバーの上方領域で垂直方向に向わせる手段（６０）を備えることを特徴とする請求項１に記載の組合せ。
【請求項５】
前記キャップは、プラスチック材料を用いて形成されることを特徴とする請求項１に記載の組合せ。
【請求項６】
前記キャップを前記本体上に取付けることは、スナップ−ロッキング（５６）係合によって行えるようにしたことを特徴とする請求項１に記載の組合せ。
【請求項７】
前記本体には、前記ソレノイドオペレーターに前記本体を取付ける際、前記ブリード用ポートを垂直に向わせる手段（４４、４６）を備えたことを特徴とする請求項１に記載の組合せ。
【請求項８】
電磁弁の製造方法であって、
（ａ）内部にバルブ用ボア（２０）を備え、かつインレット（３２）及び制御圧力用のアウトレット（３４）ポートを設けたバルブ本体（１８）を用意し、
（ｂ）前記バルブ用ボア内にバルブ用スプール（２２）を移動自在なように配置し、
（ｃ）前記本体にソレノイドオペレーター（１０）を取付けて、前記スプールの移動を操作可能にし、
（ｄ）前記本体に流体を用いて減衰を行えるようにリザーバー（４０）を形成するとともに、前記リザーバーにブリード用ポート（４２）を形成し、かつ、
（ｅ）前記ブリード用ポートの上方にキャップ（５４）を配置して、このキャップにベント用のポート（５８）を形成して備えるが、前記ベント用のポートを前記ブリード用ポートからオフセットさせて、前記ブリード用ポートを通る流体の流れをバッフルさせるようにした、各ステップを有することを特徴とする方法。
【請求項９】
前記キャップを配置するステップでは、前記ブリード用ポートと円周方向に並ぶように前記ベント用のポートの向きを定めることを備えることを特徴とする請求項８に記載の方法。
【請求項１０】
前記キャップを配置するステップでは、前記キャップを前記本体上にスナップ−ロッキングによって取付けることを特徴とする請求項８に記載の方法。
【請求項１１】
前記オフセットを行うステップでは、前記バルブ用ボアに関して軸方向にオフセットさせるようにすることを特徴とする請求項８に記載の方法。
【発明の詳細な説明】
【技術分野】
【０００１】
本発明は、スプールタイプの電磁弁に関し、特に、バルブ用チャンバからエキゾースト又はサンプポートまで流体を送ることで、制御信号用アウトレットポートまで調整された圧力信号を送るように操作されるスプールタイプの電磁弁に関する。
【背景技術】
【０００２】
従来、上述のようなバルブは、所定の圧力信号レベルとポートに関するスプール位置で不安定になる傾向があることが知られている。このため、スプールの端部に流体用のリザーバー又はチャンバを設けて、スプールの移動を減衰させて、不安定性を最小にさせることが望ましいとされている。
【０００３】
このようなバルブは、例えば、乗用車や軽トラック等の自動車に用いられる、自動変速機のシフト機能を制御するために利用されている。このような変速機では、バルブ本体の取付けは、スプールの移動が一般的に水平方向軸に沿って行われ、かつ、変速機のサンプ内への液侵によってスプール減衰用のリザーバーに流体が供給されるように行われている。しかしながら、例えば、急な加速や、坂路の上り下り、減速又はコーナリングのような自動車の走行時には、サンプ内の流体が減衰用のリザーバーから離れるように流動することがあり、つまり、流体がリザーバーのポートに晒されて、減衰用のリザーバーから流出する場合があった。この場合、リザーバー内にエアが混入して、流体をインレットまで戻す際に、リザーバーが満たされず、スプールの移動の減衰が阻害されるおそれがあった。
【０００４】
故に、従来、例えば、フルイドサンプの移動時に、電磁的に操作されるスプールバルブの、流体を用いた減衰用のリザーバーの流体が不足して、ここから流体が流出することを防ぐ手段が求められていた。
【発明の開示】
【発明が解決しようとする課題】
【０００５】
本発明は、以上の課題を解決するように、バッフル状の減衰用リザーバーポートを備えた、電磁的に操作されるスプールバルブと、この製造方法を提供することを目的とするものである。
【課題を解決するための手段】
【０００６】
上記目的を達成するために、本発明では、電磁的に操作されるスプールバルブ内において、圧力とバルブを操作するスプール位置の範囲を超える不安定性が生じることを最小にさせるため、スプールの移動を流体によって減衰させるように、スプールの端部側に設けられたリザーバーに対して、このフルイドポートにオフセットされた通路の形態のバッフルを設けることを特徴とする。この際、バルブ本体には、リザーバーの垂直方向上方に減衰用のリザーバーのポートを向わせる手段を備え、また、バルブ本体の端部上にキャップを取付ける際、このキャップに減衰用のリザーバーのポートからオフセットされるようにポートを備えて、リザーバーのポートを通る流体の通路をバッフルさせるようにする。本発明に係る実施形態では、リザーバーのキャップの流通用ポートを、スプールの移動方向に関して、リザーバーのポートから軸方向にオフセットされるように設ける。また、リザーバーのキャップは、スナップ−ロッキング係合されるように、組付けられるようにできる。好ましくは、リザーバーのインレットの向きを定める手段は、ソレノイドフラックスコレクター又はバルブの上方本体部に備えられる溝部と係合するように、バルブ本体上に形成される突出部を用いて構成する。
【発明を実施するための最良の形態】
【０００７】
以下、本発明に係る好適な実施形態について、添付した図を参照して説明する。
図１を参照すると、符号１０を用いてバルブアセンブリが概略的に示されている。このアセンブリに含まれる上方本体部１２内には、参照番号１６に示すように、コイルから延びるアーマチュアによって移動可能なように、アーマチュア／オペレーティングロッドを有する、ソレノイドコイル（図示せず）のフラックスコレクターを設けることができる。尚、本発明の説明を明瞭にするため、ソレノイドオペレーターの残りの構造に関する説明を省略することを理解されたい。上方本体部１２には下方本体部１８が取付けられるが、この部位１８にはバルブ用のボア２０が形成される。ボア２０内には、当接してスライド係合されるようにバルブ用のスプール２２を取付けるが、この一方の端部２４は上記アーマチュア又はロッド１６の一方の端部と当接されるようにする。このような構造では、従来技術において公知なように、コイルに電圧を加えることでスプールを移動させることができ、例えば、図１の破線に示すようにアーマチュア１６とスプール２２が移動することを理解されたい。
【０００８】
バルブ用のボア２０は、本体（下方本体部１８）の端部とねじ状に螺合されるプラグ２６によって、下方本体部１８の左側の端部で閉鎖される。スプール２２は、スプリング（弾性部材）２８によって、図１の右側の方向に付勢されており、スプールの端部２４がアーマチュア１６の端部と当接されるようにしている。この際、スプリング２８の一方の端部はプラグ２６に対して取付けられ、反対側の端部はスプール２２の端部に形成された溝部３０に対して取付けられている。
【０００９】
バルブの下方本体部１８内には、供給圧力用のインレットポート３２と制御信号圧力用のアウトレットポート３４をボア２０に沿って離間するように設けている。さらに、上方本体部１２に向かって、ここからさらに離間して、エキゾースト又はサンプポート３６を設けている。
【００１０】
スプール２２には、インレットポート３２とエキゾーストポート３６の間に変化部つまり縮径領域３８が設けられている。このスプール２２の縮径領域３８は、スプールの両側の端部側にバルブ用のランドを形成して、ポート３２から流入する流体を調整し、かつポート３６を通ってサンプされるように流体を排出できるようにしており、アーマチュア１６によるスプール２２の軸方向移動に応じて、制御信号用のアウトレットポートでの制御圧力を所望のように維持できるようにしている。
【００１１】
下方本体部１８内には、スプール２２の左側の端部側にリザーバー４０を備えるが、このリザーバーは、ボア２０、プラグ２６及びスプールの端部側に形成される溝部３０から形成される。リザーバー４０は、さらに流通可能なように制限ポート４２を本体部１８の壁部に形成して備え、またリザーバー４０は、十分な流量を維持できるように構成されており、上記ポート４２の制限部を通るように流体を流動させることで、スプール２０の急な移動に対しても、適当な減衰効果を提供できるようにしている。
【００１２】
図示した実施形態では、下方本体部１８の水平方向の配置のため、スプール２２の垂直方向上方にポート４２を配置させているが、このことは、下方本体部１８の右側の端部に形成した突出部又はリブ４４を用いて、上方本体部１２に下方本体部１８を取付けるときに、下方本体部１８の向きを定めるように行っている。このリブ４４は、下方本体部１８の右側の端部を取付ける上方本体部１２のボア４８内に形成された、溝部又はグルーブ４６内に取付けられる。そして、参照番号５０で示すように、下方本体部１８に形成した溝部５２内で、上方本体部１２の材料を変形させることで、下方本体部１８を保持させている。
【００１３】
また、本体下方部１８の左側の端部上にキャップ又はカバー５４を取付けるが、好ましくは、この部位に備えた内側の突起部５６を下方本体部の対応する溝部又はグルーブに係合させることで、スナップロックされるように取付ける。カバー５４は、リザーバーのポート４２からカバー内に形成されたオフセットポート５８までの流れを変えて、方向を定めるようにしており、例えば、バッフルさせているが、このオフセットポート５８は、リザーバーのポート４２から、ボア２０に関して軸方向又は円周方向に離間して設けることができる。また、キャップ５４の向きを定める手段を備えるが、これは、例えば、図３に示すように、キャップ５４上の突出部又はラグ６０の形態として備えられて、本体１８に形成された溝部６２と係合されることで、上記ポート５８をスプール２２の垂直方向上方に向わせるとともに、ポート４２と整ばせるようにすることができる。
【００１４】
故に、本発明は、電磁的に操作されるスプールバルブにおいて、スプールを減衰させるために流体を用いたリザーバーに、バッフル状のポートを備えることで、バルブから流体源が移動してリザーバーのポートが流体を不足させたときに、減衰用リザーバー内に最小量の流体を保持できるようにする。
【００１５】
以上、添付した図を参照して、本発明の好適な実施形態について説明したが、本発明に対して修正や変更等を加えることは可能であって、本発明の範囲は、添付した特許請求の範囲の記載によってのみ限定されることを理解されたい。
【図面の簡単な説明】
【００１６】
【図１】本発明の実施形態に係るバルブアセンブリのバルブ操作部を示す断面図である。
【図２】図１に示したアセンブリの左側部位の上面図である。
【図３】図１の３−３線に沿った断面図である。
【図４】図１の４−４線に沿った断面の一部を示す図である。
【図５】図１の５−５線に沿った断面図である。
【符号の説明】
【００１７】
１０          バルブアセンブリ
１２          上方本体部
１６          アーマチュア
１８          下方本体部（バルブ本体）
２０          ボア
２２          スプール
２６          プラグ
２８          スプリング
４０          リザーバー
【図１】
2005273912.tif 000003
【図２】
2005273912.tif 000004
【図３】
2005273912.tif 000005
【図４】
2005273912.tif 000006
【図５】
2005273912.tif 000007